(57)【要約】      （修正有） 【課題】レストラン等で食事をする際に着席した姿勢でも、無理なく着脱でき、食事中の食べこぼしを防止するための食事用エプロンを提供する。【解決手段】後方開き型エプロン主体と、このエプロン主体の上部に備えられた襟２と、この襟に連なると共に、前身頃中央部に備えられたプリーツ４と、前記襟の後方から肩甲骨の両側に位置する肩甲骨部用ギャザーと、更に各袖部の袖口に位置する袖口用ギャザー８とで成形する。【選択図】図１
0003161637.tif 000002
【実用新案登録請求の範囲】
【請求項１】
後方開き型エプロン主体と、このエプロン主体の上部に備えられた襟部と、この襟部に連なると共に、前身頃中央部に備えられたプリーツと、前記襟部の後方から肩甲骨の両側に位置する肩甲骨部用ギャザーと、更に各袖部の袖口に位置する袖口用ギャザーとで成したことを特徴とした食事用エプロン。
【請求項２】
前記襟部は、食べこぼしを防止用襟部を立ち上げたことを特徴とする請求項１記載の食事用エプロン。
【請求項３】
前記前身頃中央部に備えられたプリーツは、左右に伸縮する様にしたことを特徴とした請求項１記載の食事用エプロン。
【請求項４】
前記肩甲骨部用ギャザーは、着用するエプロンが肩甲骨にて止まる様にしたことを特徴とした請求項１記載の食事用エプロン。
【請求項５】
前記袖口用ギャザーは、袖口を狭くして食べこぼし防止用としたことを特徴とする請求項１記載の食事用エプロン。
【考案の詳細な説明】
【技術分野】
【０００１】
本考案は、レストラン等で食事をする際に着席した姿勢でも、無理なく着脱でき、食  事中の食べこぼしを防止するための食事用エプロンを提供するものである。
【背景技術】
【０００２】
従来より飲食時等で使用されるエプロンは様々提案されている。使い捨てエプロンでは、例えば特許文献１に記載されたものがある。これは、前掛けの上方に形成された襟ぐりと、前掛けの下方に形成された食べこぼしの受け袋と、前掛けを首の後ろの紐で掛ける掛止部とからなるもので、着用時は、左右の袖に夫々腕を通し、腕を首の後ろに回して紐をとめるようになっている。衣服カバーでは、例えば特許文献２に記載されたものがある。これは、胸当て部と両端部に連設された一対の袖部とからなるカバー本体、及び両端部をカバー本体の胸当て部に取り付け、首に掛けることによって胸当て部を吊持する伸縮性の紐体からなり、各袖部は袖口を伸縮自在に絞ってなるもので、着用時は、左右の袖に夫々腕を通し、伸縮性の紐を首にかけて使用する。
【先行技術文献】
【特許文献】
【０００３】
【特許文献１】特願平10-374686
【特許文献２】特願2004-110982
【考案の概要】
【考案が解決しようとする課題】
【０００４】
特許文献１に記載された使い捨てエプロンでは、前掛け上方に形成されただけの襟構造であるから、口から出た食べこぼしがエプロンの内側に入り込むのを防ぐことができず、前掛け下方に形成された食べこぼしの受け袋はレストランでテーブルについた時には邪魔であり、及び着用時は、左右の袖に夫々腕を通し、腕を首の後ろに回して紐をとめるようになっているので、着席した状態で着用するには、問題がある。
【０００５】
特許文献２に記載された衣服カバーでは、カバー本体の胸当て部を首に掛けることによって吊持する構造であり、袖部の袖口が伸縮自在に絞って着用する構造であるため着用の服がシワになることを防ぐことができず、問題がある。
【課題を解決するための手段】
【０００６】
本考案は、後方開き型エプロン主体と、このエプロン主体の上部に備えられた襟部と、この襟部に連なると共に、前身頃中央部に備えられたプリーツと、前記襟部の後方から肩甲骨の両側に位置する肩甲骨部用ギャザーと、更に各袖部の袖口に位置する袖口用ギャザーとで成したことを特徴としたものである。
【０００７】
更に本考案は、襟部が、食べこぼしを防止用襟部を立ち上げたことを特徴としたものである。
【０００８】
又、本考案は、前身頃中央部に備えられたプリーツを、左右に伸縮する様にしたことを特徴としたものである。
【０００９】
又、本考案は、肩甲骨部用ギャザーが、着用するエプロンが肩甲骨に止ま る様にしたことを特徴としたものである。
【００１０】
更に本考案は、袖口用ギャザーを、袖口を狭くして食べこぼし防止用としたことを特徴としたものである。
【考案の効果】
【００１１】
請求項１により後方開き型エプロン主体によれば、食べこぼしを防止用  に立ち上げた襟部と、前身頃中央部に備えられたプリーツと、襟部の後方から肩甲骨の両側に位置する肩甲骨部用ギャザーで形成しているから、レストラン等での着席時も、着脱し易く、着用時には動きやすく、快適に食事を楽むことができる。
【００１２】
請求項２により後方開き型エプロン主体によれば、前身頃とその上部に備えられた食べこぼしを防止用に立ち上げた襟部を設けているから、レストランで食事をする時に襟元から食べこぼしが入り、着ている服を汚したり、濡らしたりするのを防ぐことができる。
【００１３】
請求項３によりこの後方開き型エプロン主体によれば、前身頃中央部に備えられたプリーツを形成しているから、着用に際して、腕を通す時に前身頃が広がるので、容易に着用できる。及び、テーブルの遠くのものを取るのに必要な運動量も兼ね備えているため、食事時の動作がスムーズである。
【００１４】
請求項４によりこの後方開き型エプロン主体によれば、襟部の後方から肩甲骨の両側に位置する肩甲骨部用ギャザーを形成しているから、着用時に立体的な成形になるため、自然と肩甲骨部分を込むような形になり身体に密着して止まることで、着脱が容易にできる。
【００１５】
請求項５によりこの後方開き型エプロン主体によれば、食べこぼしを防止用に狭くした袖口を入れることによって、着用時に着ている服の袖口の汚れを防止するように設けている。
【図面の簡単な説明】
【００１６】
【図１】本考案による食事用エプロンの正面図
【図２】同上の背面図
【図３】同上の着用状態を示す正面図
【図４】同上の異なる着用状態を示す背面図
【考案を実施するための形態】
【００１７】
以下 本考案を実施例として掲げた図面に基づいて説明すると、図１は食事用エプロを示す正面図であって、後方を開いたエプロン主体１は後方を開いた状態に形成され、その上部１ａに襟部２を連ねて備えている。
【００１８】
襟部２は、エプロン主体１に連なり首に沿わすことで襟元からの食べこぼしの進入防止ができる。更にこの襟部２には前身頃中央部３を連なると共に、プリーツ４を有している。
【００１９】
而して、具体的にはこのプリーツ４は、レストランでの着席時に快適に食事ができる必要な運動量分の前身頃中央部３の幅に余裕分を縫いこんだものであり、これにより、遠くにあるものなどを取る時など、着用しているエプロン主体１に充分なサイズ的余裕が生まれる。
【００２０】
更に前身頃中央部３に備えられたプリーツ４は、静観時には畳んだ状態であるが、遠くのものを取る時には、その前身頃中央部に備えられたプリーツ４が開いて、＋２０ｃｍのサイズ的余裕分が生じる。前身頃中央部に備えられたプリーツ４は、見た目にはオーバーサイズに見えず、それでいて運動量を確保できる。
【００２１】
また、本考案を実施例として掲げた図面に基づいて説明すると、図２は食事用エプロンを示す背面図であって、後方を開いたエプロン主体１の襟部の後方から肩甲骨の両側に位置する肩甲骨部用ギャザー５を備えている。
【００２２】
通常は首の後ろに紐を結んだり、紐を首に掛けたりしてエプロン主体１のずれを防止するが、本考案は、この肩甲骨の両側に位置する肩甲骨部用ギャザー５により、腕を動かした時にエプロン主体１がずれないように成形されている。
【００２３】
肩甲骨の両側に位置する肩甲骨部用ギャザー５は、後身頃６の肩甲骨が動いてもずれないように肩甲骨の立体分の分量を寄せ集め、襟部の後方から肩甲骨の両側に位置する肩甲骨部用ギャザー５として形成する。更にこの肩甲骨部用ギャザー５にはギャザー８を入れて狭くした袖口を有する袖７が連なる。
【００２４】
袖口のギャザー８は、袖口を狭くして食べこぼし防止用とし、更に着ている服の袖にシワが寄らないように袖底部分の幅を広くし、その分量でギャザー８を形成している。
【００２５】
上記のような構成よりなる本考案のエプロン主体１の使用方法を説明すると、図３はレストランでの着席時に着用した正面図である。
【００２６】
即ち、このエプロン主体１のこの状態になるには、ウェイターより渡されたエプロン主体１をまず広げる。広げたエプロン主体１の前身頃中央部３の裾部分をテーブルと自分の身体の間に押し込み、次に両腕を袖３に通す。両腕を両袖に通したら、襟部２を首に沿わせ、肩甲骨部用ギャザー５部分を肩より掛け、後身頃６の裾を脇に垂らす。
【００２７】
尚、上記のような構成よりなる本考案のエプロン主体１の使用方法を説明すると、図４はレストランでの着席時に着用した背面図である。
【００２８】
この時、エプロン主体１の前記襟部の後方から肩甲骨の両側に位置する肩甲骨部用ギャザー５は、肩甲骨に合うよう立体に成形されているためずれを防いでいる。更に、後方開口型により背面がもたつく事もなく、着席した姿勢を崩す必要もない。且つ、肩甲骨部用ギャザー５から裾にかける部分は、脇部分から座った太もも、更に膝までの着ている服をカバーできるため、食べこぼしても汚れることがない。
【００２９】
以上の実施形態は、本考案を大人用のエプロン主体１で実施した例について説明したが、そのサイズを適宜変えることにより子供用、またサイズの大きな人向けとしても実施することができる。                                                                  
【産業上の利用可能性】
【００３０】
産業上の利用可能性は極めて高い。ホテルレストラン、フレンチレストラン、結婚式場など正装での食事場面は多くある。
その時に装った服装が食事時のちょっとした食べこぼしや汁物の飛びはねで、気分を悪くする経験は誰しも持っているものである。それは、その場だけでなく、食事が終わり家に帰り着くまで気が重いものである。そこで、本考案のエプロンを使用することで、着ている服を気にすることなく、食事時を、さらに食事が終わってからの時間をも快適に過ごすことができる。
さらに、ホテルレストラン、フレンチレストラン、結婚式場、食事場所の雰囲気にあった生地を採用することにより、夫々のイメージに合う商品開発が可能である。
【符号の説明】
【００３１】
1              エプロン
2              襟
3              前身頃中央部
4              プリーツ
5              ギャザー
6              後身頃
7              袖
8              袖口ギャザー
H              人
【図１】
0003161637.tif 000003
【図２】
0003161637.tif 000004
【図３】
0003161637.tif 000005
【図４】
0003161637.tif 000006